(57)【特許請求の範囲】
【請求項１】
吸収性物品用シート部材であって、
第１シートと、
前記第１シートに重ねられて接合されることによりシート積層体を形成する第２シートと、
前記第１シートと前記第２シートとの間に固定される高吸収性材料と、
を備え、
前記第１シートと前記第２シートとの間に、それぞれに前記高吸収性材料が固定される複数の材料存在領域が設けられ、
前記第１シートと前記第２シートとの間の前記複数の材料存在領域を除く領域である材料非存在領域が、
前記第１シートと前記第２シートとが直接的に接合される第１領域と、
前記第１シートと前記第２シートとが、前記第１領域における接合強度よりも小さい接合強度にて直接的に接合される、または、非接合状態で対向する第２領域と、
を含み、
前記シート積層体の長手方向の少なくとも一方、または、幅方向の両側に位置する端縁部に、前記第２領域と材料存在領域とが交互に配置される、または、前記端縁部に平行な材料存在領域に隣接して前記端縁部の端縁との間に位置する前記第２領域が配置される膨潤拡大部が設けられ、
前記第１シートと前記第２シートとの間にて前記高吸収性材料が排泄物の水分を吸収して膨潤する際に、前記膨潤拡大部において前記第２領域に隣接する材料存在領域の高吸収性材料が膨潤して前記第２領域へと拡がって高吸収性材料の堰を形成し、前記堰の高さは、前記膨潤拡大部以外の位置に位置する材料存在領域において膨潤した高吸収性材料の高さよりも高く、前記膨潤拡大部が設けられる前記端縁部の端縁において前記第１シートと前記第２シートとが前記堰を挟んで厚さ方向に離間することを特徴とする吸収性物品用シート部材。
【請求項２】
請求項１に記載の吸収性物品用シート部材であって、
前記膨潤拡大部が、前記シート積層体の前記長手方向の両側の端縁部に設けられることを特徴とする吸収性物品用シート部材。
【請求項３】
請求項２に記載の吸収性物品用シート部材であって、
前記第１領域が、前記シート積層体の前記長手方向の両側に設けられる前記膨潤拡大部の一方から他方へと連続することを特徴とする吸収性物品用シート部材。
【請求項４】
請求項２または３に記載の吸収性物品用シート部材であって、
前記シート積層体の前記長手方向の両側に設けられる前記膨潤拡大部の間において、
前記複数の材料存在領域が、それぞれが前記長手方向に平行に延びる帯状であって前記幅方向に配列され、
前記第１領域が、前記複数の材料存在領域の間に位置することを特徴とする吸収性物品用シート部材。
【請求項５】
請求項２ないし４のいずれかに記載の吸収性物品用シート部材であって、
前記膨潤拡大部が、前記シート積層体の前記幅方向の両側の端縁部にも設けられることを特徴とする吸収性物品用シート部材。
【請求項６】
着用者からの排泄物を受ける吸収性物品であって、
請求項１ないし５のいずれかに記載の吸収性物品用シート部材と、
前記吸収性物品用シート部材の着用者側の主面を覆うトップシートと、
前記吸収性物品用シート部材のもう一方の主面を覆うバックシートと、
を備えることを特徴とする吸収性物品。
【発明の詳細な説明】
【技術分野】
【０００１】
本発明は、着用者からの排泄物を受ける吸収性物品、および、吸収性物品にて使用される吸収性物品用シート部材に関する。
【背景技術】
【０００２】
従来より、使い捨ておむつの内側に取り付けられて使用される軽失禁用の吸収パッド等の吸収性物品では、２枚の不織布等のシート部材の間に、高吸収性樹脂等の粒子を挟んで固定した吸収シートが利用されている。
【０００３】
例えば、特許文献１の吸水性シートは、第１シートと、第２シートと、これら両シートの間に接着剤により固着された吸水性樹脂粉末を備える。第１シートと第２シートとの間には、吸水性樹脂粉末の存在域が複数形成されている。複数の存在域は、それぞれ吸水性シートの長手方向に延び、かつ、幅方向に所定の間隔をおいて並列に配置されている。隣接する存在域の間の領域、および、吸水性シートの幅方向両端部は、吸水性樹脂粉末が存在しない非存在域である。非存在域では、第１シートと第２シートとが接合されている。非存在域の一部では、吸水性樹脂粉末の吸液・膨潤により第１シートと第２シートとが剥がれることにより、吸水性樹脂粉末の膨潤阻害が抑制され、多量の体液の吸収が可能となる。ただし、非存在域のうち、吸水性シートの幅方向両端部では、吸水性樹脂粉末の吸液・膨潤により第１シートは第２シートから剥がれない。これにより、吸水性樹脂粉末の吸水性シートからの脱落が防止される。
【０００４】
特許文献２の吸収体では、第１シートと、所定方向に延びる襞が多数並設された第２シートとをそなえる。第２シートの各襞における底部が第１シートに接合され、これら接合部間では第１シートと第２シートとが非接合とされることにより、所定方向に延びるトンネル状のセルが形成される。各セルの両端部では、第１シートと第２シートとは固定されている。各セル内には高吸収性ポリマー粒子を含む粉粒状の吸収材が封入されており、吸収材が吸液・膨潤することにより各セルが起立する。各セル間の接合部には、襞が延びる方向に間欠的に設けられた非分離部分と、非分離部分間に設けられて湿潤により分離可能となる可分離部分とが設けられる。膨張後の吸収体に体圧等が加わると、可分離部分にて第１シートが第２シートから剥がれ、複数のセルが結合した結合セルが形成される。体圧が加えられた部分の吸収体は、隣接するセルへ移動する。これにより、セル外への吸収材の漏出を防止することができる。
【先行技術文献】
【特許文献】
【０００５】
【特許文献１】特許第５００１０９９号公報
【特許文献２】特開２０１１−１８９０６７号公報
【発明の概要】
【発明が解決しようとする課題】
【０００６】
ところで、特許文献１のような吸水性シートでは、吸水性樹脂粉末が膨潤した場合であっても、幅方向両端部の非存在域において第１シートが第２シートから剥がれないため、幅方向両端部において非存在域の内側に位置する存在域における吸水性樹脂粉末の膨潤が制限される。このため、吸水性シートの幅方向端部に到達した尿等が、吸水性シートの幅方向外側へと漏出するおそれがある。特許文献２においても同様に、各セルの両端部等では、第１シートと第２シートとが分離しないように固定されているため、端部に到達した尿等が吸収体から漏出するおそれがある。
【０００７】
本発明は、上記課題に鑑みなされたものであり、吸収性物品用シート部材の端縁部からの排泄物の漏出を抑制することを目的としている。
【課題を解決するための手段】
【０００８】
請求項１に記載の発明は、吸収性物品用シート部材であって、第１シートと、前記第１シートに重ねられて接合されることによりシート積層体を形成する第２シートと、前記第１シートと前記第２シートとの間に固定される高吸収性材料とを備え、前記第１シートと前記第２シートとの間に、それぞれに前記高吸収性材料が固定される複数の材料存在領域が設けられ、前記第１シートと前記第２シートとの間の前記複数の材料存在領域を除く領域である材料非存在領域が、前記第１シートと前記第２シートとが直接的に接合される第１領域と、前記第１シートと前記第２シートとが、前記第１領域における接合強度よりも小さい接合強度にて直接的に接合される、または、非接合状態で対向する第２領域とを含み、前記シート積層体の長手方向の少なくとも一方、または、幅方向の両側に位置する端縁部に、前記第２領域と材料存在領域とが交互に配置される、または、前記端縁部に平行な材料存在領域に隣接して前記端縁部の端縁との間に位置する前記第２領域が配置される膨潤拡大部が設けられ、前記第１シートと前記第２シートとの間にて前記高吸収性材料が排泄物の水分を吸収して膨潤する際に、前記膨潤拡大部において前記第２領域に隣接する材料存在領域の高吸収性材料が膨潤して前記第２領域へと拡がって高吸収性材料の堰を形成し、前記堰の高さは、前記膨潤拡大部以外の位置に位置する材料存在領域において膨潤した高吸収性材料の高さよりも高く、前記膨潤拡大部が設けられる前記端縁部の端縁において前記第１シートと前記第２シートとが前記堰を挟んで厚さ方向に離間する。
【０００９】
請求項２に記載の発明は、請求項１に記載の吸収性物品用シート部材であって、前記膨潤拡大部が、前記シート積層体の前記長手方向の両側の端縁部に設けられる。
【００１０】
請求項３に記載の発明は、請求項２に記載の吸収性物品用シート部材であって、前記第１領域が、前記シート積層体の前記長手方向の両側に設けられる前記膨潤拡大部の一方から他方へと連続する。
【００１１】
請求項４に記載の発明は、請求項２または３に記載の吸収性物品用シート部材であって、前記シート積層体の前記長手方向の両側に設けられる前記膨潤拡大部の間において、前記複数の材料存在領域が、それぞれが前記長手方向に平行に延びる帯状であって前記幅方向に配列され、前記第１領域が、前記複数の材料存在領域の間に位置する。
【００１２】
請求項５に記載の発明は、請求項２ないし４のいずれかに記載の吸収性物品用シート部材であって、前記膨潤拡大部が、前記シート積層体の前記幅方向の両側の端縁部にも設けられる。
【００１３】
請求項６に記載の発明は、着用者からの排泄物を受ける吸収性物品であって、請求項１ないし５のいずれかに記載の吸収性物品用シート部材と、前記吸収性物品用シート部材の着用者側の主面を覆うトップシートと、前記吸収性物品用シート部材のもう一方の主面を覆うバックシートとを備える。
【発明の効果】
【００１４】
本発明では、吸収性物品用シート部材の端縁部からの排泄物の漏出を抑制することができる。
【図面の簡単な説明】
【００１５】
【図１】第１の実施の形態に係る吸収性物品の平面図である。
【図２】吸収性物品の断面図である。
【図３】吸収コアの平面図である。
【図４】吸収コアの平面図である。
【図５】吸収コアの断面図である。
【図６】吸収コアの断面図である。
【図７】第２の実施の形態に係る吸収コアの平面図である。
【図８】吸収コアの平面図である。
【図９】吸収コアの断面図である。
【図１０】第３の実施の形態に係る吸収コアの平面図である。
【図１１】吸収コアの平面図である。
【図１２】吸収コアの断面図である。
【図１３】第４の実施の形態に係る吸収コアの平面図である。
【図１４】吸収コアの平面図である。
【図１５】他の好ましい吸収コアの平面図である。
【図１６】他の好ましい吸収コアの平面図である。
【発明を実施するための形態】
【００１６】
図１は、本発明の第１の実施の形態に係る吸収性物品１を広げた状態で示す平面図である。吸収性物品１は、着用者が着用する使い捨ておむつ等の外装物品の内側（すなわち、着用者側）に取り付けられて着用者からの排泄物を受ける補助吸収具である。吸収性物品１は、例えば、着用者からの尿等を受ける軽失禁用の吸収パッドである。図１では、着用時に着用者に接する側の面を手前にして吸収性物品１を描いている。
【００１７】
図２は、吸収性物品１を図１中に示すＡ−Ａの位置で長手方向（すなわち、図１中における上下方向）に垂直な面で切断した断面図である。図１および図２に示すように、吸収性物品１は、略シート状の本体部２、および、本体部２の両側部（すなわち、長手方向に垂直な幅方向の両側）上に配置されて本体部２の長手方向のおよそ全長に亘る一対のサイドシート３を備える。
【００１８】
図１および図２に示すように、本体部２は、透液性のトップシート２１と、撥水性または不透液性のバックシート２３と、トップシート２１とバックシート２３との間に配置された略シート状の吸収コア２２とを備える。吸収コア２２は、吸収性物品１にて利用される吸収性物品用シート部材である。図２では、図示の都合上、吸収性物品１の各構成を厚さ方向に離して描いている。また、図１では、図の理解を容易にするために、吸収コア２２の輪郭を太破線にて描いている。図１に示すように、吸収コア２２および本体部２はそれぞれ、平面視において長手方向に長い略長方形である。本体部２は吸収コア２２より一回り大きく、吸収コア２２全体が本体部２の外周縁の内側に位置する。
【００１９】
トップシート２１およびバックシート２３の長手方向の長さおよび幅方向の幅（以下、単に「長さ」および「幅」という。）は、吸収コア２２の長さおよび幅よりも大きい。図２に示すように、トップシート２１は、吸収コア２２の着用者側の主面を覆う。バックシート２３は、吸収コア２２のもう一方の主面、すなわち、着用者とは反対側の主面を覆う。トップシート２１は、吸収コア２２の周りにおいてホットメルト接着剤等を介してバックシート２３に接合される。
【００２０】
図２に示すように、吸収コア２２は、透液性の第１シート２２１と、透液性の第２シート２２２と、高吸収性材料２２３とを備える。第２シート２２２は、第１シート２２１に重ねられてホットメルト接着剤等により接合される。これにより、複数のシート部材が積層されたシート積層体２２４が形成される。高吸収性材料２２３は、第１シート２２１と第２シート２２２との間に、ホットメルト接着剤等により固定される。
【００２１】
トップシート２１は透液性のシート部材であり、着用者からの排泄物の水分を速やかに捕捉して吸収コア２２へと移動させる。吸収コア２２は、トップシート２１を透過した水分を吸収して迅速に固定する。バックシート２３は、バックシート２３に到達した排泄物の水分等が、本体部２の外側にしみ出すことを防止する。
【００２２】
図１および図２に示すように、各サイドシート３は、サイドシート本体３１と、サイドシート本体３１にホットメルト接着剤等により接合されて長手方向に延びる側壁部弾性部材３２とを備える。図２に示すように、サイドシート本体３１は、長手方向の全長に亘る折り曲げ線３９にて２つ折りにされる。サイドシート本体３１のうち、折り曲げ線３９の一方側の帯状の部位を「側壁固定部３３」といい、折り曲げ線３９の他方側の帯状の部位を「側壁部３４」という。
【００２３】
側壁固定部３３は、本体部２の側方エッジ近傍において長手方向のおよそ全長に亘って本体部２の着用者側にホットメルト接着剤等を用いて接合される。側壁部３４は、折り曲げ線３９にて側壁固定部３３から連続する部位であり、本体部２の両側部上において本体部２の長手方向のおよそ全長に亘って延びる。側壁部３４は、長手方向の両端部において本体部２上または側壁固定部３３上に重ねられ、ホットメルト接着剤等により固定される。側壁部３４の自由端には側壁部弾性部材３２が接合される。側壁部弾性部材３２が収縮することにより、側壁部３４の長手方向の中央部が、本体部２から着用者に向かって起立し、着用者の脚の付け根近傍に当接する一対の立体ギャザーとなる。これにより、吸収性物品１では、脚周りからの尿等の漏出防止が図られている。
【００２４】
上述のホットメルト接着剤としては、ポリオレフィン系、ゴム系、酢酸ビニル系等のものが利用される。トップシート２１とバックシート２３との接合、サイドシート３と本体部２との接合、および、側壁部３４と本体部２または側壁固定部３３との接合は、熱融着接合や超音波接合等により行われてもよい。
【００２５】
トップシート２１としては、例えば、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。なお、トップシート２１として、セルロースやレーヨン、コットン等の親水性繊維により形成された不織布（例えば、スパンレース不織布）が利用されてもよい。
【００２６】
吸収コア２２の第１シート２２１および第２シート２２２としては、例えば、トップシート２１と同様に、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。また、第１シート２２１および第２シート２２２として、セルロースやレーヨン、コットン等の親水性繊維により形成された不織布（例えば、スパンレース不織布）が利用されてもよい。なお、第１シート２２１および第２シート２２２として、ティッシュや複数の開口を有するプラスチックフィルム等が利用されてもよい。高吸収性材料２２３としては、例えば、粒状の高吸収性ポリマー（ＳＡＰ（Super Absorbent Polymer））、または、繊維状の高吸収性ファイバー（ＳＡＦ（Super Absorbent Fiber））が利用される。
【００２７】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用される。吸収性物品１のムレを防止して着用者の快適性を向上するという観点からは、バックシート２３にて利用されるプラスチックフィルムは、透湿性（通気性）を有するものが好ましい。
【００２８】
サイドシート本体３１としては、疎水性繊維にて形成された撥水性または不透液性の不織布（例えば、スパンボンド不織布やメルトブロー不織布、ＳＭＳ不織布等）が利用される。側壁部弾性部材３２としては、例えば、ポリウレタン糸、帯状のポリウレタンフィルム、糸状または帯状の天然ゴム等が利用され、図１に示す吸収性物品１では、ポリウレタン糸が弾性部材として利用される。
【００２９】
図３は、吸収コア２２を示す平面図である。吸収コア２２では、複数の材料存在領域２５と、材料非存在領域２６とが、第１シート２２１と第２シート２２２との間に設けられる。また、材料非存在領域２６は、第１シート２２１と第２シート２２２との接合強度が互いに異なる第１領域２６１および第２領域２６２を含む。図３では、材料存在領域２５、第１領域２６１および第２領域２６２に、互いに異なる種類の平行斜線を付す。後述する図７、図８、図１０、図１１、図１３ないし図１６においても同様である。
【００３０】
各材料存在領域２５では、高吸収性材料２２３が第１シート２２１および第２シート２２２（図２参照）にホットメルト接着剤等により固定される。換言すれば、複数の材料存在領域２５のそれぞれに高吸収性材料２２３が固定される。複数の材料存在領域２５は、それぞれが長手方向に略平行に延びる帯状であって幅方向に互いに離間しつつ配列される。すなわち、吸収コア２２では、長手方向に延びるストライプ状に配置された複数の材料存在領域２５が設けられる。好ましくは、複数の材料存在領域２５の幅は、互いに等しい。
【００３１】
材料非存在領域２６は、第１シート２２１と第２シート２２２との間の領域のうち、上述の複数の材料存在領域２５を除く領域である。材料非存在領域２６では、第１シート２２１と第２シート２２２との間に高吸収性材料２２３は存在しない。なお、材料非存在領域２６では、実質的に高吸収性材料２２３は存在しないとみなせる程度であれば、ごく僅かな高吸収性材料２２３が存在してもよい。
【００３２】
材料非存在領域２６は、複数のシート接合領域２６０を含む。複数のシート接合領域２６０は、それぞれが長手方向に略平行に延びる帯状である。複数のシート接合領域２６０と複数の材料存在領域２５とは、幅方向に交互に配列される。シート積層体２２４の幅方向の両側に位置する２つの端縁部（以下、「横端縁部２２５」という。）には、２つのシート接合領域２６０がそれぞれ配置される。換言すれば、吸収コア２２では、幅方向の両側の横端縁部２２５に配置された２つのシート接合領域２６０の間に、全ての材料存在領域２５と、当該２つのシート接合領域２６０を除く全てのシート接合領域２６０が交互に配置される。好ましくは、複数のシート接合領域２６０の幅は、互いに等しい。
【００３３】
各シート接合領域２６０は、１つの第１領域２６１と、２つの第２領域２６２とを含む。第１領域２６１では、第１シート２２１と第２シート２２２とが直接的に接合される。第２領域２６２では、第１シート２２１と第２シート２２２とが、第１領域２６１における第１シート２２１と第２シート２２２との接合強度よりも小さい接合強度にて直接的に接合される。すなわち、第１領域２６１は強接合領域であり、第２領域２６２は弱接合領域である。
【００３４】
第１領域２６１と第２領域２６２との接合強度の違いは、例えば、第１領域２６１に塗布するホットメルト接着剤の単位面積当たりの量を、第２領域２６２よりも多くすることにより実現される。また、第１領域２６１および第２領域２６２に同様にホットメルト接着剤を塗布して第１シート２２１および第２シート２２２を接合した後、第１領域２６１のみをギヤで挟むことにより、第１領域２６１と第２領域２６２との接合強度の違いが実現されてもよい。あるいは、第１領域２６１において第１シート２２１と第２シート２２２とを熱融着接合や超音波接合により接合し、第２領域２６２において第１シート２２１と第２シート２２２とをホットメルト接着剤により接着することにより、第１領域２６１と第２領域２６２との接合強度の違いが実現されてもよい。第１領域２６１および第２領域２６２における第１シート２２１および第２シート２２２の接合は、他の様々な方法（例えば、ニードルパンチのような物理的接合）により行われてもよい。
【００３５】
各シート接合領域２６０の２つの第２領域２６２は、シート積層体２２４の長手方向の両側に位置する２つの端縁部（以下、「縦端縁部２２６」という。）にそれぞれ配置される。各第２領域２６２は、例えば、長手方向に長い略長方形状である。また、２つの第２領域２６２の間に第１領域２６１が配置される。具体的には、各シート接合領域２６０において、２つの第２領域２６２の間の帯状の領域全体が第１領域２６１である。吸収コア２２では、シート積層体２２４の長手方向の両側の縦端縁部２２６において、第２領域２６２と材料存在領域２５とが幅方向に交互に配置される。
【００３６】
各縦端縁部２２６に位置する各第２領域２６２の長さ（すなわち、縦端縁部２２６の長さ）は、好ましくは、５ｍｍ以上５０ｍｍ以下である。各材料存在領域２５の幅は、好ましくは、５ｍｍ以上２５ｍｍ以下である。隣接する２つの材料存在領域２５の間に位置するシート接合領域２６０の幅は、好ましくは、２ｍｍ以上８ｍｍ以下である。各横端縁部２２５に位置するシート接合領域２６０の幅（すなわち、横端縁部２２５の幅）は、好ましくは、２ｍｍ以上１０ｍｍ以下である。
【００３７】
第１領域２６１における第１シート２２１と第２シート２２２との接合強度は、好ましくは、３．０Ｎ／５０ｍｍ以上１０．０Ｎ／５０ｍｍ以下である。第２領域２６２における第１シート２２１と第２シート２２２との接合強度は、好ましくは、０．１Ｎ／５０ｍｍ以上３．０Ｎ／５０ｍｍ以下である。第１シート２２１および第２シート２２２の接合強度は、いわゆる剥離接着強さであり、以下の方法により測定される。
【００３８】
接合強度の測定は、例えば、株式会社エー・アンド・ディの「ＴＥＮＳＩＬＯＮ（型番：ＲＴＧ−１２１０）」を測定機器として用いて以下のように行われる。まず、測定対象となる接合された２枚のシートが、長手方向を横切るように幅５０ｍｍにカットされ（すなわち、長手方向の幅が５０ｍｍとなるようにカットされ）、略矩形の試験片が準備される。当該試験片は、測定機器の掴み治具にセットされる。続いて、試験片を、積層された２枚のシートを剥離させる方向（例えば、シート積層体の主面に略垂直な２つの方向）に試験速度３００ｍｍ／ｍｉｎにて引っ張り、接合されている２枚のシートに加わる最大荷重が測定される。そして、測定結果に基づいて上述の接合強度が求められる。最大荷重の測定が１回である場合、当該最大荷重が接合強度として取得される。最大荷重の測定が複数回（例えば、３回）行われた場合、例えば、複数回の測定結果（最大荷重）の平均値が接合強度として取得される。また、例えば、複数回の測定結果（最大荷重）の中央値が接合強度として取得されてもよい。なお、試験片の幅が５０ｍｍよりも小さい場合、測定された最大荷重に、５０ｍｍを試験片の幅で除した値を乗算することにより、５０ｍｍ幅の試験片にて測定を行った場合と同様の最大荷重（Ｎ／５０ｍｍ）が求められる。例えば、試験片の幅が１０ｍｍである場合は、測定された最大荷重（Ｎ／１０ｍｍ）を５倍することにより、５０ｍｍ幅の試験片にて測定を行った場合の最大荷重（Ｎ／５０ｍｍ）が求められる。
【００３９】
吸収性物品１の着用者から尿等の排泄物が排泄されると、吸収コア２２において、高吸収性材料２２３が排泄物の水分を吸収して膨潤する。高吸収性材料２２３の厚さが膨潤により増大すると、材料存在領域２５において、第１シート２２１と第２シート２２２とが厚さ方向に離間するように力が働く。これにより、２つの縦端縁部２２６の各第２領域２６２（すなわち、弱接合領域）において、第１シート２２１が第２シート２２２から剥離する。換言すれば、第２領域２６２の接合強度は、高吸収性材料２２３の膨潤により剥離する程度の強さである。
【００４０】
各縦端縁部２２６では、図４に示すように、膨潤した高吸収性材料２２３が複数の第２領域２６２（図３参照）へと拡がる。また、各第１領域２６１（すなわち強接合領域）では、第１シート２２１は第２シート２２２から剥離せず、第１シート２２１と第２シート２２２との接合は維持される。換言すれば、第１領域２６１の接合強度は、高吸収性材料２２３の膨潤により剥離しない程度の強さである。各第１領域２６１上の空間は、膨潤した高吸収性材料２２３の間に位置する溝部となる。
【００４１】
図５および図６は、吸収コア２２を図４中のＢ−ＢおよびＣ−Ｃの位置で幅方向に垂直な面で切断した断面図である。図５は、幅方向に隣接する２つの材料存在領域２５の間の第１領域２６１における断面を示す。第１領域２６１の上方の空間は、上述の溝部２６５である。図６は、一の材料存在領域２５における断面を示す。図４ないし図６に示すように、各縦端縁部２２６において高吸収性材料２２３が幅方向に拡がることにより、シート積層体２２４のおよそ全幅に亘る高吸収性材料２２３の堰が形成される。図６に示すように、縦端縁部２２６における高吸収性材料２２３の堰の高さは、縦端縁部２２６において第１シート２２１および第２シート２２２の接合が解除されているため、２つの縦端縁部２２６の間における材料存在領域２５での高吸収性材料２２３の高さよりも高い。
【００４２】
以下の説明では、図３ないし図６に示す吸収コア２２において、高吸収性材料２２３が膨潤する際に第１シート２２１および第２シート２２２を剥離させつつ第２領域２６２へと拡大して堰を形成する部位を「膨潤拡大部２２０」という。図３に示すように、吸収コア２２では、第２領域２６２と材料存在領域２５とが交互に配置される膨潤拡大部２２０が、各縦端縁部２２６に設けられる。図３では、膨潤拡大部２２０を二点鎖線にて囲んで示す。後述する図７、図８、図１０、図１１、図１３ないし図１６においても同様である。
【００４３】
吸収性物品１では、着用者からの尿等の排泄物が長手方向に移動した場合であっても、吸収コア２２の縦端縁部２２６において膨潤拡大部２２０により形成される高吸収性材料２２３の堰により、排泄物がせき止められる。これにより、吸収性物品１により受けられた排泄物が、吸収コア２２の縦端縁部２２６から吸収コア２２が存在しない外部領域へと漏出することを抑制することができる。
【００４４】
上述のように、膨潤拡大部２２０は、シート積層体２２４の長手方向の両側の縦端縁部２２６に設けられるため、尿等の排泄物が、吸収コア２２上において長手方向の前側（すなわち、着用者の腹側）に移動する場合であっても、長手方向の後側（すなわち、着用者の背側）に移動する場合であっても、縦端縁部２２６からの排泄物の漏出を抑制することができる。
【００４５】
吸収コア２２では、各シート接合領域２６０において、図５に示すように、第１領域２６１が、シート積層体２２４の長手方向の両側に設けられる２つの膨潤拡大部２２０の一方から他方へと連続する。このため、高吸収性材料２２３の膨潤により第１領域２６１上に形成される溝部２６５により、２つの膨潤拡大部２２０が接続される。これにより、高吸収性材料２２３の膨潤後であっても、２つの膨潤拡大部２２０の間にて、排泄物が溝部２６５を介して迅速に移動する。その結果、排泄物を長手方向に迅速に拡散させることができるため、吸収コア２２の高吸収性材料２２３を、排泄物の吸収に効率良く利用することができる。なお、長手方向に迅速に拡散された排泄物は、縦端縁部２２６において膨潤拡大部２２０により形成される高吸収性材料２２３の堰によりせき止められる。
【００４６】
また、吸収コア２２では、２つの膨潤拡大部２２０の間において、複数の材料存在領域２５が、それぞれが長手方向に延びる帯状であって幅方向に配列され、複数の第１領域２６１が、複数の材料存在領域２５の間に位置する。これにより、高吸収性材料２２３が膨潤した際に、各第１領域２６１上に長手方向に略直線状に延びる溝部２６５が形成される。その結果、高吸収性材料２２３の膨潤後であっても、複数の溝部２６５を介して排泄物を長手方向にさらに迅速に拡散させることができる。
【００４７】
図７は、第２の実施の形態に係る吸収性物品用シート部材である吸収コア２２ａを示す平面図である。図７に示すように、吸収コア２２ａでは、複数の材料存在領域２５の配置、並びに、材料非存在領域２６における第１領域２６１および第２領域２６２の配置が、図３に示す吸収コア２２とは異なる。吸収コア２２ａの他の構造は、図３に示す吸収コア２２と同様であり、以下の説明では同符号を付す。吸収コア２２ａは、図３に示す吸収コア２２に代えて、図１に示す吸収性物品１に設けられる。
【００４８】
吸収コア２２ａでは、複数の材料存在領域２５は、それぞれが幅方向に略平行に延びる帯状であって長手方向に互いに離間しつつ配列される。材料非存在領域２６は、複数のシート接合領域２６０を含む。複数のシート接合領域２６０は、それぞれが幅方向に略平行に延びる帯状である。複数のシート接合領域２６０と複数の材料存在領域２５とは、長手方向に交互に配列される。シート積層体２２４の長手方向の両側に位置する２つの縦端縁部２２６にはシート接合領域２６０が配置される。
【００４９】
材料非存在領域２６では、隣接する各２つの材料存在領域２５の間に位置するシート接合領域２６０全体が第１領域２６１である。また、２つの縦端縁部２２６に配置される２つのシート接合領域２６０全体が、第１シート２２１と第２シート２２２との接合強度が第１領域２６１よりも小さい第２領域２６２である。吸収コア２２ａでは、縦端縁部２２６に平行な材料存在領域２５に隣接する第２領域２６２が配置される膨潤拡大部２２０が、各縦端縁部２２６に設けられる。換言すれば、膨潤拡大部２２０では、縦端縁部２２６に平行な材料存在領域２５とシート積層体２２４の長手方向の端縁との間に第２領域２６２が配置される。
【００５０】
吸収コア２２ａが設けられる吸収性物品の着用者から尿等の排泄物が排泄されると、吸収コア２２ａにおいて、高吸収性材料２２３が排泄物の水分を吸収して膨潤する。これにより、各縦端縁部２２６の第２領域２６２において、第１シート２２１が第２シート２２２から剥離し、図８に示すように、膨潤した高吸収性材料２２３が当該第２領域２６２（図７参照）へと拡がる。
【００５１】
図９は、吸収コア２２ａを図８中のＤ−Ｄの位置で幅方向に垂直な面で切断した断面図である。図８および図９に示すように、各縦端縁部２２６において高吸収性材料２２３が長手方向に拡がることにより、シート積層体２２４のおよそ全幅に亘るとともに長手方向の長さが長い高吸収性材料２２３の堰が形成される。図９に示すように、縦端縁部２２６における高吸収性材料２２３の堰の高さは、縦端縁部２２６において第１シート２２１および第２シート２２２の接合が解除されているため、２つの縦端縁部２２６の間における材料存在領域２５での高吸収性材料２２３の高さよりも高い。
【００５２】
吸収コア２２ａが設けられる吸収性物品では、図１に示す吸収性物品１と同様に、着用者からの尿等の排泄物が長手方向に移動した場合であっても、吸収コア２２の縦端縁部２２６において膨潤拡大部２２０により形成される高吸収性材料２２３の堰により、排泄物がせき止められる。これにより、当該吸収性物品により受けられた排泄物が、吸収コア２２ａの縦端縁部２２６から吸収コア２２ａが存在しない外部領域へと漏出することを抑制することができる。
【００５３】
上述のように、膨潤拡大部２２０は、シート積層体２２４の長手方向の両側の縦端縁部２２６に設けられるため、尿等の排泄物が、吸収コア２２ａ上において長手方向の前側に移動する場合であっても、長手方向の後側に移動する場合であっても、縦端縁部２２６からの排泄物の漏出を抑制することができる。
【００５４】
図１０は、第３の実施の形態に係る吸収性物品用シート部材である吸収コア２２ｂを示す平面図である。図１０に示すように、吸収コア２２ｂでは、材料非存在領域２６における第１領域２６１および第２領域２６２の配置が、図３に示す吸収コア２２とは異なる。吸収コア２２ｂの他の構造は、図３に示す吸収コア２２と同様であり、以下の説明では同符号を付す。吸収コア２２ｂは、図３に示す吸収コア２２に代えて、図１に示す吸収性物品１に設けられる。
【００５５】
吸収コア２２ｂでは、図３に示す吸収コア２２と同様に、複数の材料存在領域２５は、それぞれが長手方向に略平行に延びる帯状であって幅方向に配列される。材料非存在領域２６は、複数のシート接合領域２６０を含む。複数のシート接合領域２６０は、それぞれが長手方向に略平行に延びる帯状である。複数のシート接合領域２６０と複数の材料存在領域２５とは、幅方向に交互に配列される。シート積層体２２４の幅方向の両側に位置する２つの横端縁部２２５にはシート接合領域２６０が配置される。
【００５６】
材料非存在領域２６では、隣接する各２つの材料存在領域２５の間に位置するシート接合領域２６０全体が第１領域２６１である。また、２つの横端縁部２２５に配置される２つのシート接合領域２６０全体が、第１シート２２１と第２シート２２２との接合強度が第１領域２６１よりも小さい第２領域２６２である。吸収コア２２ｂでは、横端縁部２２５に平行な材料存在領域２５に隣接する第２領域２６２が配置される膨潤拡大部２２０が、各横端縁部２２５に設けられる。換言すれば、膨潤拡大部２２０では、横端縁部２２５に平行な材料存在領域２５とシート積層体２２４の幅方向の端縁との間に第２領域２６２が配置される。
【００５７】
吸収コア２２ｂが設けられる吸収性物品の着用者から尿等の排泄物が排泄されると、吸収コア２２ｂにおいて、高吸収性材料２２３が排泄物の水分を吸収して膨潤する。これにより、各横端縁部２２５の第２領域２６２において、第１シート２２１が第２シート２２２から剥離し、図１１に示すように、膨潤した高吸収性材料２２３が当該第２領域２６２（図１０参照）へと拡がる。
【００５８】
図１２は、吸収コア２２ｂを図１１中のＥ−Ｅの位置で長手方向に垂直な面で切断した断面図である。図１１および図１２に示すように、各横端縁部２２５において高吸収性材料２２３が幅方向に拡がることにより、シート積層体２２４のおよそ全長に亘るとともに幅方向の幅が広い高吸収性材料２２３の堰が形成される。図１２に示すように、横端縁部２２５における高吸収性材料２２３の堰の高さは、横端縁部２２５において第１シート２２１および第２シート２２２の接合が解除されているため、２つの横端縁部２２５の間における材料存在領域２５での高吸収性材料２２３の高さよりも高い。
【００５９】
吸収コア２２ｂが設けられる吸収性物品では、着用者からの尿等の排泄物が幅方向に移動した場合であっても、吸収コア２２ｂの横端縁部２２５において膨潤拡大部２２０により形成される高吸収性材料２２３の堰により、排泄物がせき止められる。これにより、当該吸収性物品により受けられた排泄物が、吸収コア２２ｂの横端縁部２２５から吸収コア２２ｂが存在しない外部領域へと漏出することを抑制することができる。
【００６０】
図１３は、第４の実施の形態に係る吸収性物品用シート部材である吸収コア２２ｃを示す平面図である。図１３に示すように、吸収コア２２ｃでは、材料非存在領域２６における第１領域２６１および第２領域２６２の配置が、図３に示す吸収コア２２とは異なる。吸収コア２２ｃの他の構造は、図３に示す吸収コア２２と同様であり、以下の説明では同符号を付す。吸収コア２２ｃは、図３に示す吸収コア２２に代えて、図１に示す吸収性物品１に設けられる。
【００６１】
吸収コア２２ｃでは、図３に示す吸収コア２２と同様に、複数の材料存在領域２５は、それぞれが長手方向に略平行に延びる帯状であって幅方向に配列される。材料非存在領域２６は、複数のシート接合領域２６０を含む。複数のシート接合領域２６０は、それぞれが長手方向に略平行に延びる帯状である。複数のシート接合領域２６０と複数の材料存在領域２５とは、幅方向に交互に配列される。シート積層体２２４の幅方向の両側に位置する２つの横端縁部２２５にはシート接合領域２６０が配置される。
【００６２】
隣接する各２つの材料存在領域２５の間に位置するシート接合領域２６０は、１つの第１領域２６１と、２つの第２領域２６２とを含む。当該シート接合領域２６０では、長手方向の両側に位置する２つの縦端縁部２２６に、２つの第２領域２６２がそれぞれ配置される。各第２領域２６２は、例えば、長手方向に長い略長方形状である。また、２つの第２領域２６２の間に第１領域２６１が配置される。具体的には、上記シート接合領域２６０において、２つの第２領域２６２の間の帯状の領域全体が第１領域２６１である。また、２つの横端縁部２２５に配置される２つのシート接合領域２６０全体は第２領域２６２である。
【００６３】
吸収コア２２ｃでは、環状の膨潤拡大部２２０が、各縦端縁部２２６および各横端縁部２２５に設けられる。各縦端縁部２２６における膨潤拡大部２２０では、第２領域２６２と材料存在領域２５とが幅方向に交互に配置される。また、各横端縁部２２５における膨潤拡大部２２０では、横端縁部２２５に平行な材料存在領域２５に隣接する第２領域２６２が配置される。すなわち、吸収コア２２ｃでは、膨潤拡大部２２０がシート積層体２２４の長手方向の両側の縦端縁部２２６、および、幅方向の両側の横端縁部２２５に設けられる。
【００６４】
吸収コア２２ｃが設けられる吸収性物品の着用者から尿等の排泄物が排泄されると、吸収コア２２ｃにおいて、高吸収性材料２２３が排泄物の水分を吸収して膨潤する。これにより、各縦端縁部２２６の各第２領域２６２において、第１シート２２１が第２シート２２２（図２参照）から剥離し、図１４に示すように、膨潤した高吸収性材料２２３が当該各第２領域２６２（図１３参照）へと拡がる。また、各横端縁部２２５の第２領域２６２において、第１シート２２１が第２シート２２２から剥離し、膨潤した高吸収性材料２２３が当該第２領域２６２へと拡がる。
【００６５】
吸収コア２２ｃでは、各縦端縁部２２６および各横端縁部２２５において高吸収性材料２２３が幅方向に拡がることにより、シート積層体２２４の端縁に沿ってシート積層体２２４の全周に亘る高吸収性材料２２３の堰が形成される。縦端縁部２２６および横端縁部２２５における高吸収性材料２２３の堰の高さは、当該堰の内側における材料存在領域２５での高吸収性材料２２３の高さよりも高い。
【００６６】
吸収コア２２ｃでは、シート積層体２２４の全周に亘って設けられる膨潤拡大部２２０により形成される高吸収性材料２２３の環状の堰により、排泄物がせき止められる。これにより、当該吸収性物品により受けられた排泄物が、吸収コア２２ｃから外部領域へと漏出することを吸収コア２２ｃの全周に亘って抑制することができる。
【００６７】
吸収コア２２ｃでは、隣接する各２つの材料存在領域２５の間のシート接合領域２６０において、第１領域２６１が、長手方向の両側に位置する膨潤拡大部２２０の一方から他方へと連続する。これにより、高吸収性材料２２３の膨潤後であっても、２つの膨潤拡大部２２０の間にて、排泄物が溝部２６５（図５参照）を介して迅速に移動する。その結果、排泄物を長手方向に迅速に拡散させることができるため、吸収コア２２ｃの高吸収性材料２２３を、排泄物の吸収に効率良く利用することができる。なお、長手方向に迅速に拡散された排泄物は、縦端縁部２２６において膨潤拡大部２２０により形成される高吸収性材料２２３の堰によりせき止められる。
【００６８】
また、吸収コア２２では、長手方向の両側に位置する膨潤拡大部２２０の間において、複数の材料存在領域２５が、それぞれが長手方向に延びる帯状であって幅方向に配列され、複数の第１領域２６１が、複数の材料存在領域２５の間に位置する。これにより、高吸収性材料２２３が膨潤した際に、各第１領域２６１上に長手方向に略直線状に延びる溝部２６５（図５参照）が形成される。その結果、高吸収性材料２２３の膨潤後であっても、複数の溝部２６５を介して排泄物を長手方向にさらに迅速に拡散させることができる。
【００６９】
上述の吸収性物品１および吸収コア２２，２２ａ〜２２ｃでは、様々な変更が可能である。
【００７０】
吸収コア２２，２２ａ〜２２ｃに設けられる材料存在領域２５の数は様々に変更されてよい。例えば、図３に示す吸収コア２２では、それぞれが長手方向に延びる２つの帯状の材料存在領域２５が幅方向に配置され、２つの材料存在領域２５の間および２つの横端縁部２２５に、３つの帯状のシート接合領域２６０がそれぞれ配置される。この場合、吸収コア２２に設けられた複数の材料存在領域２５の間には１つの第１領域２６１のみが存在する。材料存在領域２５では、高吸収性材料２２３にパルプ等が混合されてもよい。この場合、パルプ等は、高吸収性材料２２３が主材料とみなせる程度の割合にて混合される。
【００７１】
図３に示す吸収コア２２では、膨潤拡大部２２０は、シート積層体２２４の長手方向の少なくとも一方の縦端縁部２２６に設けられていればよい。この場合、膨潤拡大部２２０は、長手方向において着用者からの尿等の排泄物が流れやすい側（例えば、着用者の背側）の縦端縁部２２６に設けられることが好ましい。
【００７２】
吸収コア２２，２２ａ〜２２ｃの第２領域２６２では、第１シート２２１と第２シート２２２とが非接合状態で対向してもよい。この場合、図３に示す吸収コア２２では、第１領域２６１および第２領域２６２を含む各シート接合領域２６０は、第１シート２２１と第２シート２２２とが部分的に接合される領域である。
【００７３】
図１５は、他の好ましい吸収コア２２ｄを示す平面図である。吸収コア２２ｄの構造は、隣接する各２つの材料存在領域２５の間のシート接合領域２６０の構造が異なる点を除き、図１３に示す吸収コア２２ｃとほぼ同様である。図１５に示す吸収コア２２ｄでは、長手方向の両側の縦端縁部２２６において、上記シート接合領域２６０の第２領域２６２が、第１シート２２１と第２シート２２２（図２参照）とが第１領域２６１における接合強度よりも小さい接合強度にて直接的に接合される弱接合領域２６２ａと、第１シート２２１と第２シート２２２とが非接合状態で対向する非接合領域２６２ｂとを有する。図１５では、非接合領域２６２ｂには平行斜線は付さない。また、２つの縦端縁部２２６の間において、上記シート接合領域２６０に複数の小さい第１領域２６１と複数の小さい非接合領域２６２ｂとが長手方向に交互に配列される。幅方向の両側の横端縁部２２５に配置される２つのシート接合領域２６０全体は、弱接合領域２６２ａである。
【００７４】
吸収コア２２ｄでは、図１３に示す吸収コア２２ｃと同様に、環状の膨潤拡大部２２０がシート積層体２２４の長手方向の両側の縦端縁部２２６、および、幅方向の両側の横端縁部２２５に設けられる。これにより、当該吸収性物品により受けられた排泄物が、吸収コア２２ｄから外部領域へと漏出することを吸収コア２２ｄの全周に亘って抑制することができる。なお、吸収コア２２ｄでは、隣接する各２つの材料存在領域２５の間のシート接合領域２６０において、２つの縦端縁部２２６の間に第１領域２６１と弱接合領域２６２ａとが長手方向に交互に配列されてもよい。
【００７５】
図１６は、他の好ましい吸収コア２２ｅを示す平面図である。吸収コア２２ｅは、互いに離間してマトリクス状に配置される複数の小さな略円形の材料存在領域２５と、複数の材料存在領域２５の周囲を囲む連続する１つの材料非存在領域２６とを備える。吸収コア２２ｅでは、材料非存在領域２６のうち、各縦端縁部２２６に位置する領域が第２領域２６２とされ、その他の領域が第１領域２６１とされる。各縦端縁部２２６には、材料存在領域２５と第２領域２６２とが交互に配置される膨潤拡大部２２０が設けられる。吸収コア２２ｅでは、排泄物が縦端縁部２２６から外部領域へと漏出することを抑制することができる。
【００７６】
上述の吸収性物品１および吸収コアは、必ずしも略長方形状には限定されず、例えば、長手方向の両端部の幅が中央部の幅よりも大きい略砂時計型であってもよい。また、吸収コアの横端縁部２２５に膨潤拡大部２２０が設けられる場合等、吸収性物品１からサイドシート３が省略されてもよい。
【００７７】
上述の吸収コアは、補助吸収具以外の吸収性物品に利用されてよい。上述の吸収コアは、例えば、パンツタイプやテープタイプの使い捨ておむつに利用される。この場合、幅方向の両側の横端縁部２２５に膨潤拡大部２２０が設けられ、膨潤拡大部２２０が脚部開口の近傍に配置される。これにより、膨潤した高吸収性材料２２３の堰により、脚部開口からの排泄物の漏出を抑制することができる。
【００７８】
上記実施の形態および各変形例における構成は、相互に矛盾しない限り適宜組み合わされてよい。
【符号の説明】
【００７９】
１    吸収性物品
２１    トップシート
２２，２２ａ〜２２ｅ    吸収コア
２３    バックシート
２５    材料存在領域
２６    材料非存在領域
２２０    膨潤拡大部
２２１    第１シート
２２２    第２シート
２２３    高吸収性材料
２２４    シート積層体
２２５    横端縁部
２２６    縦端縁部
２６１    第１領域
２６２    第２領域
【図１】
0006502077.tif 000002
【図２】
0006502077.tif 000003
【図３】
0006502077.tif 000004
【図４】
0006502077.tif 000005
【図５】
0006502077.tif 000006
【図６】
0006502077.tif 000007
【図７】
0006502077.tif 000008
【図８】
0006502077.tif 000009
【図９】
0006502077.tif 000010
【図１０】
0006502077.tif 000011
【図１１】
0006502077.tif 000012
【図１２】
0006502077.tif 000013
【図１３】
0006502077.tif 000014
【図１４】
0006502077.tif 000015
【図１５】
0006502077.tif 000016
【図１６】
0006502077.tif 000017